(57)【要約】【課題】            １つの収納棚で大きさの異なる複数の収納物を収納スペースを無駄にせずに効果的に収納することができる収納棚を提供する。【解決手段】        １枚の仕切背板および、該仕切背板の両側に略Ｈ形をなすように平行に固着された２枚の側板を底板に固着し、該２枚の側板を背板として用いて、側板、受け板、および押え部材を固着し、厚みの薄い収納物を表面を前面に向けて収納可能な棚を２面形成する。さらに該仕切背板および該２枚の側板に中間底を固着し、収納物を収納可能な棚を２面形成することにより、異なる収納物を複数収納可能な４面の棚を有する収納棚を実現する。【選択図】          図１
0003105273.tif 000002
【実用新案登録請求の範囲】
【請求項１】
二種類以上の大きさの異なる収納物を収納する４面の棚からなる収納棚であって、１枚の仕切背板および、該仕切背板の両側に略Ｈ形をなすように平行に固着された２枚の側板が底板に固着され、該２枚の側板が背板として用いられ、側板、受け板、および押え部材が固着され、厚みの薄い収納物を表面を前面に向けて収納可能な棚が２面形成され、該仕切背板および該２枚の側板に中間底が固着され、収納物を収納可能な棚が２面形成されていることを特徴とする収納棚。
【請求項２】
回転可能に台座板に取り付けられていることを特徴とする請求項１に記載の収納棚。
【請求項３】
前記仕切背板が、前記平行な２枚の側板の間に、前記仕切背板の両面に形成される棚に各々異なる大きさの収納物を収納可能な位置に取り付けられることを特徴とする請求項１または２に記載の収納棚。
【請求項４】
前記中間底の一部が、収納物の高さに合わせて調節するために、取り外し可能に取り付けられた可動棚を有することを特徴とする請求項１から３いずれか１項に記載の収納棚。
【請求項５】
前記仕切背板の両面に形成された異なる大きさの収納物に対応する異なる大きさの２面の棚のうち、１面の棚は、前記中間底が固定された固定棚のみからなり、他の１面は前記可動棚及び該固定棚からなかることを特徴とする請求項４に記載の収納棚。
【考案の詳細な説明】
【技術分野】
【０００１】
本考案はコンパクトディスク（ＣＤ）、ビデオカセット、オーディオカセット、ミニディスク（ＭＤ）又は雑誌等の書籍を各面に種類別に収納する収納棚に関する。
【背景技術】
【０００２】
従来、ＣＤ、ビデオカセット、オーディオカセット、ＭＤおよび雑誌等の書籍を、収納するには、それぞれ専用の木製の箱や合成樹脂製のケースに収納したり、本棚や引出し等にまとめて収納している。
【０００３】
また、一つの収納棚に大きさの違うものを収納するために、各棚の高さを収納する物の大きさに合わせて調整することにより、各種の収納物を効率的に、一つの棚で収納できるようにした収納棚が、一般に用いられている。
【０００４】
また、同じ書籍でも、雑誌等の大きくて厚さの薄い書籍は、本棚とは別にマガジンラック等を用いて見栄え良く収納したりする場合もある。
【考案の開示】
【考案が解決しようとする課題】
【０００５】
前記のような従来の収納棚は、高さ方向の調整を可能にすることにより、スペースを有効に利用し、一つの収納棚に大きさの違うものを収納することができるが、奥行きは変更できないので、大きいものは棚から飛び出して邪魔になったり、小さな物は奥に入り込んで取り出し難いという問題点があった。
【０００６】
また、それぞれ専用の収納棚を用いると、部屋において収納棚が占めるスペースが増え、厚みの違う棚を壁際にならべると、棚の前面が不揃いになり、見栄えが悪く、部屋の使い勝手も悪化する、という問題点もあった。
【０００７】
本考案は、前記問題点を解決するために、一つの収納棚で大きさの違う複数の収納物を効率良く収納できる収納棚を提供することを目的とする。
【課題を解決するための手段】
【０００８】
本考案は、二種類以上の大きさの異なる収納物を収納する４面の棚からなる収納棚を提供し、前記収納棚は、１枚の仕切背板および、該仕切背板の両側に略Ｈ形をなすように平行に固着された２枚の側板が底板に固着され、該２枚の側板を背板として用いて、側板、受け板、および押え部材を固着し、厚みの薄い収納物を表面を前面に向けて収納可能な棚が２面形成され、該仕切背板および該２枚の側板に中間底を固着し、収納物を収納可能な棚が２面形成されていることを特徴とする。
【０００９】
本考案の収納棚は、回転可能に台座板に取り付けられているのが好ましい。
【００１０】
又、本考案の収納棚は、前記仕切背板が、前記平行な２枚の側板の間に、前記仕切背板の両面に形成される棚に各々異なる大きさの収納物を収納可能な位置に取り付けられるのが好ましい。
【００１１】
更に、本考案の収納棚は、前記中間底の一部が、収納物の高さに合わせて調節するために、取り外し可能に取り付けられた可動棚を有することが好ましい。
【００１２】
又、本考案の収納棚は、前記仕切背板の両面に形成された異なる大きさの収納物に対応する異なる大きさの２面の棚のうち、１面の棚は、前記中間底が固定された固定棚のみからなり、他の１面は前記可動棚及び該固定棚からなることが好ましい
【考案の効果】
【００１３】
本考案の収納棚は、二種類以上の大きさの異なる収納物を収納する４面の棚からなる収納棚であって、１枚の仕切背板および、該仕切背板の両側に略Ｈ形をなすように平行に固着された２枚の側板が底板に固着され、該２枚の側板を背板として用いて、側板、受け板、および押え部材を固着し、厚みの薄い収納物を表面を前面に向けて収納可能な棚が２面形成され、該仕切背板および該２枚の側板に中間底を固着し、収納物を収納可能な棚が２面形成されていることにより、厚みの薄い書籍等を２面に見栄え良く収納可能となり、残りの２面は、別の収納物の大きさに合わせて形成可能で、異なる大きさの書籍又は書籍以外の収納物を収納物の大きさに合わせて、スペースを効果的に用いながら収納可能となる。
【００１４】
本考案の収納棚は、回転可能に台座板に取り付けられることにより、狭いスペースで４面の収納棚を利用することが可能となる。
【００１５】
又、本考案の収納棚は、前記仕切背板が、前記平行な２枚の側板の間に、前記仕切背板の両面に形成される棚に各々異なる大きさの収納物を収納可能な位置に取り付けられることにより、前記２面の収納棚にそれぞれ別の大きさの収納物、例えばＣＤとビデオカセット、カセットテープとＭＤ等の組合わせで、異なる大きさの収納物を専用の棚に、無駄なく収納することが可能になる。
【００１６】
更に、本考案の収納棚は、前記中間底の一部を、収納物の高さに合わせて調節するために、取り外し可能に取り付けられた可動棚を有することにより、ある収納物の大きさに合わせた棚に別の大きさの収納物を収納可能にすることができる。
【００１７】
更に、本考案の収納棚は、前記仕切背板の両面に形成された異なる大きさの収納物に対応する異なる大きさの２面の棚のうち、１面の棚は、前記中間底が固定された固定棚のみからなり、他の１面は前記可動棚及び該固定棚からなることにより、効率良く異なる大きさの収納物を収納可能にすることができる。
【考案を実施するための最良の形態】
【００１８】
以下に、図を用いて本考案の収納棚の実施形態について詳細に説明する。
【００１９】
図１は、２面の棚Ａ、棚Ｂおよび棚Ｃの４面の棚から構成される本考案の収納棚１の実施形態を示す斜視図である。
【００２０】
矩形の底板８に、１枚の仕切背板３および、該仕切板３の両側に略Ｈ形をなすように平行に固着された２枚の側板を固着する。この時、前記仕切背板３を、２枚の前記側板２の中心に固着すると、棚Ａで１種類、棚Ｂおよび棚Ｃで１種類、これに後述する可動棚を用いると収納棚１全体で２種類以上の収納物が収納可能となる。
【００２１】
又、前記仕切背板３は、２枚の前記側板２の中心に固着するのではなく、棚Ｂおよび棚Ｃの各々異なる収納物の大きさに適応するように、固着する位置を決め、２枚の前記側板２の幅も、棚Ｃおよび棚Ｂの各々の収納物の大きさに合わせた幅とすると、２種類の収納物に対応可能となり、棚Ａと合わせて後述する可動棚も用いると収納棚１全体で３種類以上の収納物が収納可能となる。
【００２２】
２枚の前記側板２に各々、側板４、書籍を受けるための受け板５および押え部材６を固着し、棚Ａを2個形成する。本実施形態では、棚１段に２個の前記押さえ部材６を用いる。
【００２３】
前記仕切背板３に、中間底７を固着し、棚Ｂ及び棚Ｃの固定棚を形成する。このとき、前記仕切板３及び前記中間底７に互いに切り欠きを設け、前記仕切仕切背板３に、前記中間底７を、横から差込み、嵌合し固着することにより、１枚の前記中間底７により棚Ｂ及び棚Ｃの固定棚を同時に形成することができる。このとき収納物の大きさに合わせて１段の棚の高さを決定し、全体の段数を決めるのが好ましい。
【００２４】
前記底板８を、台座板９に回転可能に取り付ける。回転可能な方法としては、特に限定するものではなく、例えば、収納棚本体に回転軸を設け、回転軸を前記台座板９に差込み回転可能にする構造でも良く、又、前記台座板９の上に回転自在なベアリング等を介在させて前記底板８を載せることにより回転可能にしてもよい。
【００２５】
収納棚１を構成する材料は、木材や鉄等を用いることが可能であり、木材や鉄等を部材に応じて組合わせて用いてもよい。特に材料は限定するものではない。
【００２６】
本実施形態の収納棚１の棚Ａの収納物としては、書籍等の幅が広く薄いものを対象としているので、棚の幅、高さおよび奥行きは、収納物に対応した大きさに設計するのがよい。
【００２７】
又、棚Ｂおよび棚Ｃの収納物としては、ＣＤ、ビデオカセット、オーディオカセット、ＭＤ等の中から選択された１又は２種類を対象とするので、棚Ｂおよび棚Ｃは、各々対象となる収納物に対応した棚の幅、高さおよび奥行きに、設計するのがよい。
【００２８】
図２は、更に別の実施形態を示す図であり、本実施形態の中間底は固定された固定中間底１１（固定棚）および、取り外し可能に取り付けられた可動中間底１０（可動棚）からなる。
【００２９】
前記仕切仕切背板３に、前記固定中間底１１を固着し、棚Ｂ及び棚Ｃの固定棚を形成する。このとき、前記仕切板３及び前記固定中間底１１に互いに切り欠きを設け、前記仕切仕切背板３に、前記固定中間底１１を横から差込み、嵌合し固着することにより、１枚の前記固定中間底１１により棚Ｂ及び棚Ｃの固定棚を同時に形成することができる。前記棚Ｂはここで固着された固定棚のみの構成とする。
【００３０】
前記棚Ｃには、前記固定中間底１１以外に、前記可動中間底１０を取り外し可能に取り付け、可動棚を構成する。前記可動中間底１０を取り外し可能に取り付ける方法としては、図２に示すように、２枚の背板２にダボ穴１２を同じ高さに各々２箇所（合計４箇所）埋め込み、金属ダボからなる支持部材１３をダボ穴１２に挿入して取り付け、前記支持部材１３（金属ダボ）の上に前記可動中間底１０を設置する。
【００３１】
前記ダボ穴１２および前記支持部材１３（金属ダボ）の数はこれに限定するものではなく、任意に決定することができる。
【００３２】
さらに、前記可動中間底１０の裏側面に、前記支持部材１３と接する部分に前記支持部材１３の形状に対応する溝を形成することにより、前記可動中間底１０が前後に移動することを防ぐことが出きる。
【００３３】
前記可動中間底１０を取り外し可能に取り付ける方法や、個数は、これに限定するものではなく、他の方法や任意の個数でも良い。
【００３４】
本実施形態の収納棚は、前記実施形態と同様に棚Ａが２面形成され、前記底板８が、回転可能に台座板９に取り付けられている。回転可能な方法としては、特に限定するものではなく、前記実施形態と同様に、例えば、収納棚本体に回転軸を設け、回転軸を台座板９に差込み回転可能にする構造でも良く、又は、台座板９の上に回転自在なベアリング等を介在させて前記底板８を載せることにより回転可能にしている。
【００３５】
本実施形態では、一部の中間底を取り外し可能に取り付けたが、全ての中間底を取り外し可能に取り付けてもよい。また段数や、棚の大きさ、素材は、収納物に合わせて適宜変更することができる。
【図面の簡単な説明】
【００３６】
【図１】本考案の収納棚の斜視図である。
【図２】本考案の収納棚の中間底板を、取り外し可能に取り付けた実施形態の斜視図である。
【符号の説明】
【００３７】
１    収納棚
２    背板
３    仕切背板
４    側板
５    受け板
６    押さえ部材
７    中間底（固定棚）
８    底板
９    台座板
１０  可動中間底（可動棚）
１１  固定中間底（可動棚）
１２  ダボ穴
１３  支持部材（金属ダボ）
Ａ    棚
Ｂ    棚
Ｃ    棚
【図１】
0003105273.tif 000003
【図２】
0003105273.tif 000004